Podtech/llm-jp-corpus-v4-ja_patent huggingface dataset:
(57)【要約】【課  題】金属管の外周に沿ってフィンとなる薄い肉厚の金属帯を螺旋状に巻付け、金属管の表面と金属帯の内縁とを通電により加熱溶着する装置において、金属帯を座屈することなく所定位置に精度よく巻付けることができるフィンチューブの製造装置を提供する。【解決手段】巻付け開始位置ａに金属帯２を押し付けながら金属帯２の巻付けに伴って矢印方向に回転し、金属帯上縁をガイドするガイド手段としてのプーリ状のガイド３と、巻付け開始位置ａに接近した箇所の金属管表面に接触する第１通電子４と、巻付け開始位置ａに接近した位置で金属帯２の下部側面に接触し、金属帯２をガイドする機能を兼備する第２通電子５と、導線６を介して第１及び第２の通電子４及び５に溶接用電流を供給するための交流電源７とからなる。【選択図】  図１
2004314093.tif 000002
【特許請求の範囲】
【請求項１】
金属管の外周面に沿ってフィンとなる薄い肉厚の金属帯を螺旋状に巻付け、金属管の表面と金属帯の内縁とを通電により加熱溶着する装置において、金属管に巻付けられる金属帯の上縁をガイドするガイド手段と、金属帯の巻付け開始位置に接近した金属管表面に導電するための第１通電子と、上記巻付け開始位置に接近した金属体の下部側面をガイドし、かつ該下部側面に導電するための第２通電子と、第１及び第２通電子間に交流電流を供給する電源とからなることを特徴とするフィンチューブの製造装置。
【発明の詳細な説明】
【０００１】
【発明が属する技術分野】
本発明は、熱交換器の電熱管として用いられるフィンチューブの製造装置に関する。
【０００２】
【従来技術】
この種フィンチューブの製造装置として特許文献１には、金属管の外周に沿ってフィンとなる薄い肉厚の金属帯を螺旋状に巻付け、金属管の表面と金属帯の内縁とを通電により加熱溶着する装置において、金属管に巻付けられる金属帯をガイドするプーリ状のガイドと、金属帯の巻付け開始位置に接近した金属管表面に導電するための第１通電子と、上記巻付け開始位置に接近した金属帯の内縁に導電するための第２通電子と、第１及び第２通電子間に１〜１０ＭＣの交流電流を供給する電源を設けたものが開示されている。
【０００３】
【特許文献１】特公昭４５−１３７０１号
【０００４】
【発明が解決しようとする課題】
上述する従来の装置では、金属体の内縁に導電する通電子には金属帯の摺擦により溝ができ、更にその溝が金属帯の振動によって広がるため、巻付け時にフィンが横振れしがちで、金属管の所定位置に精度よく巻付けることが困難である。また金属帯は薄い程内縁に押付けられる第２通電子の押圧力によって座屈しがちで、精度のよい製品が得られなかった。
【０００５】
本発明は、上記の問題を解消し、金属帯を座屈することなく所定位置に精度よく巻付けることができるフィンチューブの製造装置を提供することを目的とする。
【０００６】
【課題の解決手段】
請求項１に係わる発明は、金属管の外周面に沿ってフィンとなる薄い肉厚の金属帯を螺旋状に巻付け、金属管の表面と金属帯の内縁とを通電により加熱溶着する装置において、金属管に巻付けられる金属帯の上縁をガイドするガイド手段と、金属帯の巻付け開始位置に接近した金属管表面に導電するための第１通電子と、上記巻付け開始位置に接近した金属体の下部側面をガイドし、かつ該下部側面に導電するための第２通電子と、第１及び第２通電子間に交流電流を供給する電源とからなることを特徴とする。
【０００７】
本発明によると、第２通電子は金属帯の下部側面に導電する機能のほか、該下部側面をガイドする機能を有し、金属帯は上縁がガイド手段により、下部側面が第２通電子によってガイドされるため横振れが生じなくなり、金属管の所定位置に精度よく巻付けることができるようになる。
【０００８】
また第２通電子は、金属帯の下部側面をガイドし、内縁に押付けられるものではないから、これによって金属板が座屈することはない。
本発明で用いるガイド手段としては、固定のガイドであってもよいが、好ましくは金属帯の巻付けに伴って回転する摩擦抵抗の少ない上述のプーリ状のガイドが用いられる。
【０００９】
【発明の実施の形態】
図１及び図２において、銅、アルミニウム等からなる金属管１は、図１の矢印方向に回転しながら軸方向（図２の左方向）に一定速度で送られ、これにより金属管１に巻付けられる、フィンを形成するための金属帯２が金属管１に螺旋状に巻付けられるようになっており、フィンチューブの製造装置は、図１に示すように巻付け開始位置ａに金属帯２を押し付けながら金属帯２の巻付けに伴って図の矢印方向に回転し、金属帯上縁をガイドするガイド手段としてのプーリ状のガイド３と、巻付け開始位置ａに接近した箇所の金属管表面に接触する第１通電子４と、巻付け開始位置ａに接近した位置で金属帯２の下部側面に接触し、金属帯２をガイドする機能を兼備する第２通電子５と、導線６を介して第１及び第２の通電子４及び５に溶接用電流を供給するための交流電源７とからなっており、電源７から溶接用電流が巻付け開始位置ａに集中して流れることにより、該位置ａで金属帯２が金属管１に溶着されるようになっている。図中、８はＯＮ−ＯＦＦ用のスイッチである。
【００１０】
【発明の効果】
本発明によると、フィンを形成する金属帯が上縁をガイド手段により、下部側面を第２通電子でガイドされることにより、金属管の所定位置に精度よく巻き付けることができ、第２通電子によるガイドは金属帯の側面に対して行われるため、金属板を座屈させることもない。
【図面の簡単な説明】
【図１】本発明に係わるフィンチューブ製造装置の模式図。
【図２】フィンチューブ製造時の要部の断面図。
【符号の説明】
１・・金属管
２・・金属帯
３・・ガイド
４・・第１通電子
５・・第２通電子
６・・導線
７・・交流電源
８・・スイッチ
【図１】
2004314093.tif 000003
【図２】
2004314093.tif 000004